(57)【要約】【課題】消費電力を抑えながらも、ＵＳＢ接続をしている、していないに関わらず、様々な要求される情報を表示可能な表示部付ＵＳＢトークンを提供する。【解決手段】ＵＳＢ端子部、表示部、内部電源及び表示切換ボタンを備えた表示部付ＵＳＢトークンにおいて、表示部の画素を２つのブロックに分け、第一のブロックを、内部電源と電気的に接続し、第二のブロックを、ＵＳＢ接続時に接続先からの電源供給を受けられるようにＵＳＢ端子部と電気的に接続させることにより、消費電力を抑えながらも、ＵＳＢ接続をしている、していないに関わらず、情報を表示可能な表示部付ＵＳＢトークンを提供する。【選択図】図１
2010102425.tif 000002
【特許請求の範囲】
【請求項１】
ＵＳＢ端子、表示部、内部電源及び表示切換ボタンを備えたＵＳＢトークンにおいて、
表示部が画素毎に２つのブロックに分かれており、
第一のブロックは、前記内部電源に接続され、
第二のブロックは、前記ＵＳＢ端子部に接続されていることを特徴とする表示部付ＵＳＢトークン。
【請求項２】
前記第一及び第二のブロックは、市松模様状であることを特徴とする請求項１に記載の表示部付ＵＳＢトークン。
【請求項３】
前記表示部は、電子ペーパーであることを特徴とする請求項１又は２に記載の表示部付ＵＳＢトークン。
【請求項４】
さらにワンタイムパスワードの生成手段を具備することを特徴とする請求項１乃至３のいずれか１項に記載の表示部付ＵＳＢトークン。
【請求項５】
前記表示切換ボタンの特定の操作により、表示部に表示される情報の表示方向が変化することを特徴とする請求項１乃至４のいずれか１項に記載の表示部付ＵＳＢトークン。
【請求項６】
前記ＵＳＢ端子が前記本体内部に収納可能であることを特徴とする請求項１乃至５のいずれか１項に記載の表示部付ＵＳＢトークン。
【発明の詳細な説明】
【技術分野】
【０００１】
この発明は、ＵＳＢトークンに係り、特に、様々な情報を表示可能な表示部を有するＵＳＢトークンに関するものである。
【背景技術】
【０００２】
従来から、表示部を備えたＵＳＢトークンが知られている。
【０００３】
このようなＵＳＢトークンとしては、例えば、生成したＯＴＰを表示する液晶表示部付ＵＳＢトークン、生成したＯＴＰを表示する液晶表示部付ＵＳＢトークン、またＯＴＰは生成しないが、データストレージを表示する電子ペーパー機能付ＵＳＢトークンがある。（Ａｌａｄｄｉｎ社製「ｅＴｏｋｅｎ  ＮＧ−ＯＴＰ」、ＲＳＡ社製「ＳｅｃｕｒＩＤ      ＳＩＤ８００」、Ｇｅｍａｌｔｏ社製「Ｐｒｏｔｉｖａ  ＳＤＣ」、Ｌｅｘａｒ社製「ＪｕｍｐＤｒｉｖｅＭｅｒｃｕｒｙ」等）
【０００４】
また、電子ペーパーとしては、溶媒中に分散された帯電粒子が、電解によって電極間を移動する電気泳動という現象を利用した、マイクロカプセル型電気泳動方式、セル又はカプセルの中に白色の顔料を懸濁させ、そこに磁性粉を入れ磁界によって磁性粉を移動させて表示させる磁気泳動方式、他にも、磁気ツイストボール方式、コレステリック液晶方式等が従来技術としてあげられる。
【特許文献１】特開２００３−２７２９１１号公報
【特許文献２】特開平７−２９１４５号公報
【発明の開示】
【発明が解決しようとする課題】
【０００５】
しかしながら、従来の表示部付ＵＳＢトークンでは、消費電力が高く、特に液晶表示部の場合には、液晶ディスプレイのバックライトの影響により電力消費が激しく、内蔵電池を使用する場合には、電池切れが早いといった問題があった。
【０００６】
本発明は、上記課題を解決するためになされたものであり、その目的とするところは、消費電力を抑えながらも、ＵＳＢ接続をしている、していないに関わらず、様々な要求される情報を表示可能な表示部付ＵＳＢトークンを提供することにある。
【課題を解決するための手段】
【０００７】
上述した課題を解決するために、本発明は、ＵＳＢ端子、表示部、内部電源及び表示切換ボタンを備えたＵＳＢトークンにおいて、表示部が画素毎に２つのブロックに分かれており、第一のブロックは、前記内部電源に接続され、第二のブロックは、前記ＵＳＢ端子部に接続されていることを特徴とする表示部付ＵＳＢトークンである。
【０００８】
また本発明は、前記第一及び第二のブロックは、市松模様状であることを特徴とする表示部付ＵＳＢトークンである。
【０００９】
また本発明は、前記表示部は、電子ペーパーであることを特徴とする表示部付ＵＳＢトークンである。
【００１０】
また本発明は、さらにワンタイムパスワードの生成手段を具備することを特徴とする表示部付ＵＳＢトークンである。
【００１１】
また本発明は、前記表示切換ボタンの特定の操作により、表示部に表示される情報の表示方向が変化することを特徴とする表示部付ＵＳＢトークンである。
【００１２】
また本発明は、前記ＵＳＢ端子が前記本体内部に収納可能であることを特徴とする表示部付ＵＳＢトークンである。
【発明の効果】
【００１３】
本発明は、以上説明したような構成であるから、以下に示す如き効果がある。
【００１４】
即ち、本発明によれば、表示部の画素を２つのブロックに分けており、第一のブロックは、内部電源に接続され、通常時に内部電源を使用して情報を表示し、第二のブロックは、ＵＳＢ端子部に接続され、ＵＳＢ接続時に接続先からの電源供給を受けて情報を表示する故、ＵＳＢ接続をしている時も、していない時も、情報を表示することが可能で、電子ペーパーの消費電力の低さを生かしながらも、表示切換ボタンにより多彩な情報を表示可能な表示部付ＵＳＢトークンが提供可能となる。
【発明を実施するための最良の形態】
【００１５】
以下、本発明における表示部付ＵＳＢトークンの実施形態例を、図を参照して詳細に説明する。
【００１６】
図１は、本発明における表示部付ＵＳＢトークンの一実施形態を示す外観図である。本発明における表示部付ＵＳＢトークンは、表示部と、表示切換ボタンと、ＵＳＢ端子部と、内部電源（図示せず）を有する。
【００１７】
表示切換ボタンを押すと、表示部の表示内容を切り替えることが可能である。表示内容としては、特に限定しないが、ワンタイムパスワード（ＯＴＰ）、時刻、電池残量、メモリ残量、広告等の自由な文字列等があげられる。また、表示切換ボタンを特殊な操作をすることにより、例えば、長押しすることにより、表示内容の向きを変更させることも可能である。表示内容の向きの変化する方向や順序、回数等については適宜設定すれば良い。
【００１８】
また、ＵＳＢ端子部は、ＵＳＢトークンの本体に収納可能な構造になっていても良い（図示せず）。収納構造は、特に限定しないが、本体の側面に窓部を設け、ＵＳＢ端子部と連結した取手部分を窓部から突出させ、それを動かすことにより行っても良いし、押し込むとノック式にＵＳＢ端子部がひっかかって固定され、それをはずすことによりＵＳＢ端子部が飛び出てくる構造にしても良い。また、ＵＳＢ端子部を本体に収納すると、表示部を保護する保護カバーが出てくるようにしても良い。
【００１９】
表示部には、電子ペーパーを用いる。電子ペーパーは、一度表示したものを、その後電力を消費せずに維持できるという特性を有しており、消費電力を提言させることが可能である。また、電子ペーパーは、液晶ディスプレイのようにバックライトを使用せず、紙と同様に反射光を利用して表示を行うため、視野角が広く直射日光に当たっても表示が見やすい。さらに、変更版、反射板、カラーフィルター、バックライト等が必要ないため、ＵＳＢトークン自体を薄くて軽い形状にすることが可能である。
【００２０】
電子ペーパーには、マイクロカプセル型電気泳動方式、磁気泳動方式、磁気ツイストボール方式、コレステリック液晶方式等があるが、本発明の表示部に使用する電子ペーパーは特に限定されない。
【００２１】
マイクロカプセル型電気泳動方式は、溶媒中に分散された帯電粒子が、電解によって電極間を移動する電気泳動という現象を利用したものであり、透明なマイクロカプセル内に液体と白色微粒子を入れ、電圧を印可することにより白色粒子を電気泳動させて白と液体の色からなる画像を表示するものである。白色粒子には酸化チタンの微粒子を用いることが多く、これを絶縁性液体中に分散させたマイクロカプセルをＩＴＯ電極付のフィルム上にシリコン樹脂をバインダとして塗布することにより形成する。表面に負電荷を与えると白色粒子はマイクロカプセルの下部へ移動して表面からは液体の色の画像が視認され、正電荷を与えると白色粒子はマイクロカプセルの上部へ移動するので表面からは白色が視認される。
【００２２】
図２は、本発明における表示部付ＵＳＢトークンの内部構造を示す図である。表示部付ＵＳＢトークンは、ストレージ領域、セキュア領域及び暗号エンジンを有する。ストレージ領域及びセキュア領域は、それぞれユーザ使用領域と共通使用領域とを有する。セキュア領域は、ＰＩＮや暗号鍵等の重要な情報を保存可能である。また、電力解析等のタンパー攻撃に対抗でき、さらに暗号コプロセッサを搭載し、暗号処理を実行することも可能である。
【００２３】
表示部にワンタイムパスワード（ＯＴＰ）を表示させるためには、ＯＴＰを生成するプログラムを組み込む必要がある。
【００２４】
ワンタイムパスワード（ＯＴＰ）とは、刻々と変化するパスワードのことであり、遠隔地にある端末からネットワークを通じてサーバコンピュータを利用（リモートアクセス）する際に、アクセスしてくる人間が正規のユーザか否かを検証する認証技術として利用され、近年では、インターネット上で個人認証を行う際等に利用されている技術である。
【００２５】
ユーザはＯＴＰ生成器から生成されたＯＴＰとユーザ固有のＩＤ若しくは暗証番号を認証サーバに送り、認証サーバは自身が保持するＯＴＰとＩＤと、送信されたデータとを比較して一致するか否かで認証を行う。ＯＴＰの生成方法には、生成器と認証サーバの時刻を同期させるタイムスタンプ方式、生成器と認証サーバの乱数（チャレンジ）生成アルゴリズムを共有するチャレンジ・レスポンス方式等がある。
【００２６】
タイムスタンプ方式では、生成器及びサーバは、１分毎（時間設定は自由）にパスワードを変更し、入力時に入力されたＯＴＰと、サーバの生成したＯＴＰとを照合させて認証を行う。実際は、入力及び接続にかかる時間を考慮して例えば入力時〜入力数分前位までに生成したいくつかのＯＴＰと照合させるのが、運営上は一般的である。
【００２７】
チャレンジ・レスポンス方式では、サーバはユーザの接続要求の都度異なるコードを返し、ユーザ側では、都度異なるコードと事前パスワードとを用いて変換を行い、その結果をサーバに送信し、サーバで照合を行うものである。
【００２８】
図３は、本発明における表示部付ＵＳＢトークンの表示部の拡大模式図である。表示部は２つのブロックに分けられ、そのブロックによって供給電源が異なっている。なお、図３では、第一及び第二のブロックは、市松模様の如く、互い違いに配置されているものとした。ここで、それぞれのブロックを構成する単位ブロックの各々は、１画素であっても良く、またいくつかの画素の集合体であっても良い。第一及び第二のブロックの配置はこの形状に限られず、ストライプ状等、表示される情報が読み取れるようであれば、任意に配置して良い。
【００２９】
図３においては、図３（ａ）で、黒色で示した部分の画素が第一のブロックで、内部電源と接続され、そこから電源供給を受けている。また、図３（ｂ）で、黒色で示した部分の画素は第二のブロックで、ＵＳＢ端子部と接続されており、パソコン等の機器とＵＳＢ接続時に、接続先の機器からの電源供給を受ける。これは、当然電源供給先と表示する画素の組み合わせが図とは逆の場合であっても良い。これにより、内部電源を利用する際の消費電力も、半分に抑えることが可能となる。
【００３０】
第一のブロック又は第二のブロックは、外部電源又は内部電源と接続され、スイッチング素子等により制御されており、外部電源に接続した際には、内部電源との接続を遮断して外部電源からの電源供給により、第一のブロックのみを用いて情報の表示を行い、外部電源との接続が切断された際には、内部電源からの電源供給により、第二のブロックのみを用いて情報の表示を行う。
【００３１】
若しくは、表示するブロック及び電源供給先の選択は、ＩＣチップが行うようにしても良い。この場合、ＩＣチップに、外部電源に接続した際には、内部電源との接続を遮断して外部電源からの電源供給により、第一のブロックのみを用いて情報の表示を行い、外部電源との接続が切断された際には、内部電源からの電源供給により、第二のブロックのみを用いて情報の表示を行うようなプログラムを記憶させておけば良い。
【００３２】
また、内部電源は、ＵＳＢ接続時に接続先からの電源供給を受けて充電を行う、充電機能を有していても良い。
【図面の簡単な説明】
【００３３】
【図１】本発明における表示部付ＵＳＢトークンの一実施形態例の外観を示す図である。
【図２】本発明における表示部付ＵＳＢトークンの一実施形態例の内部構造を示す図である。
【図３】本発明における表示部の拡大模式図である。
【符号の説明】
【００３４】
１・・・表示部付ＵＳＢトークン
２・・・表示部
３・・・表示切換ボタン
４・・・ＵＳＢ端子部
５・・・第一のブロック
６・・・第二のブロック
【図１】
2010102425.tif 000003
【図２】
2010102425.tif 000004
【図３】
2010102425.tif 000005